(57)【要約】      （修正有）【課題】スーツケースの傾き防止キャリーハンドル装置を提供する。【解決手段】ケース体１と、ケース体１に取り付けるキャスター２とを備える。ケース体１の背面にキャリーハンドル装置３を設け、キャリーハンドル装置３に外層チューブ３１と、中層チューブと、支え棒３５とを有し、外層チューブ３１をケース体１に固定し、中層チューブを外層チューブ３１の内部に設けていて、かつ、外層チューブ３１に沿って、ケース体１の上面に向かって伸縮し、支え棒３５を中層チューブがケース体１の上面から離れた他側に接続することによって、中層チューブを外層チューブ３１に引き込まれたとき、支え棒３５が外層チューブ３１より露出して、かつ、地面に係止して、ケース体１前後両端の支え距離を増やして、ケース体１が転倒する問題を引き起こしにくい。【選択図】図６
0003217297.tif 000002
【実用新案登録請求の範囲】
【請求項１】
スーツケースの傾き防止キャリーハンドル装置であって、
ケース体（１）と、前記ケース体（１）に設けるキャスター（２）と、を備え、
前記ケース体（１）の背面にキャリーハンドル装置（３）を設け、前記キャリーハンドル装置（３）に外層チューブ（３１）と、中層チューブ（３２）と、支え棒（３５）とを有し、前記外層チューブ（３１）を前記ケース体（１）に固定し、前記中層チューブ（３２）を前記外層チューブ（３１）の内部に設けていて、かつ、前記外層チューブ（３１）に沿って、前記ケース体（１）の上面に向かって伸縮し、前記支え棒（３５）を前記中層チューブ（３２）が前記ケース体（１）の上面から離れた他側に接続することによって、前記中層チューブ（３２）を前記外層チューブ（３１）に引き込まれたとき、前記支え棒（３５）が前記外層チューブ（３１）より露出して、かつ、地面（４）に係止することを特徴とする、スーツケースの傾き防止キャリーハンドル装置。
【請求項２】
前記外層チューブ（３１）側面の両端に、それぞれ第１固定孔（３１１）と、第２固定孔（３１２）を設けられ、前記中層チューブ（３２）に前記中層チューブ（３２）の側面より露出する固定ピン（３６）を設けられ、前記固定ピン（３６）が弾性に前記中層チューブ（３２）に引き込むことができ、前記固定ピン（３６）を前記第１固定孔（３１１）に固定したとき、前記中層チューブ（３２）を前記外層チューブ（３１）に延在して露出し、前記固定ピン（３６）を第２固定孔（３１２）に固定したとき、前記中層チューブ（３２）を前記外層チューブ（３１）に引き込んで、前記支え棒（３５）を前記外層チューブ（３１）より露出することを特徴とする、請求項１記載のスーツケースの傾き防止キャリーハンドル装置。
【請求項３】
前記ケース体（１）は縁部が互いに接続された裏板（１１）と、表板（１２）と、底板（１３）と、天板（１４）と、２つの側板（１５）によって組み合わせられ、前記底板（１３）と、前記裏板（１１）との接続場所が前記ケース体（１）の内側に引き込んで逃げ面（１６）を形成し、前記キャリーハンドル装置（３）の前記外層チューブ（３１）を前記裏板（１１）に固定することによって、前記キャリーハンドル装置（３）の前記支え棒（３５）と、前記表板（１２）との垂直距離が前記キャスター（２）の回転軸心から前記表板（１２）の垂直距離より大きいことを特徴とする、請求項１記載の自動支え装置を備えたスーツケース。
【考案の詳細な説明】
【技術分野】
【０００１】
本考案は、特にスーツケースが静止するときに、スーツケース前後両端の支え距離を増やせて、スーツケースを安定に停止させるスーツケースの傾き防止キャリーハンドル装置に関する。
【背景技術】
【０００２】
スーツケースの底部にキャスターを取り付けて、利用者が押し込んで走行するか、または引きずって走行することができる。現在はスーツケース全体体積の軽減を図るため、キャスターは比較的径の小さいものが採用されている。しかし、この種の径の小さいキャスターが平らでない地面（例えば、地面の裂け目または石畳道）で走行すると、キャスターが引っかかって走行できない問題が起きる。さらに、スーツケースを階段で走行するときは、利用者がスーツケースを持ち上げて移動させなければならない。
【考案の概要】
【考案が解決しようとする課題】
【０００３】
周知のとおり、比較的に径の大きいタイヤを使用すれば、平らでない地面または階段でスーツケースを引きずって走行することができる。よって、本案の考案者はキャスターをケース体の側面に取り付けると共に、キャスターの径を大きくする方法を考案したが、この種の方法は、スーツケースが停止状態のとき、キャスターの支点がケース体内側の付近部に位置しているため、ケース体が転倒しやすい課題が残されている。
【課題を解決するための手段】
【０００４】
本考案の主な目的は、キャリーハンドル装置を利用し、スーツケースが停止中に支え棒を地面に当接して、ケース体両端の支え距離を増やせて、ケース体が転倒する欠点を無くすことにある。
【０００５】
前述目的を達成するため、本考案は、ケース体と、ケース体に取り付けるキャスターとを備える。ケース体の背面にキャリーハンドル装置を設け、キャリーハンドル装置に外層チューブと、中層チューブと、支え棒とを有し、外層チューブをケース体に固定し、中層チューブを外層チューブの内部に設けていて、かつ、外層チューブに沿って、ケース体の上面に向かって伸縮し、支え棒を中層チューブがケース体の上面から離れた他側に接続することによって、中層チューブを外層チューブに引き込まれたとき、支え棒が外層チューブより露出して、かつ、地面に係止される。
【図面の簡単な説明】
【０００６】
【図１】本考案の立体外観図である。
【図２】本考案のもう一つの視角による立体外観図である。
【図３】本考案のキャリーハンドル装置の中層チューブを外層チューブに伸ばした態様の局所の立体断面図である。
【図４】本考案のキャリーハンドル装置の中層チューブを外層チューブに引き込む態様の局所の立体断面図である。
【図５】本考案のケース体が立ち姿勢で中層チューブを外層チューブに伸ばした態様図である。
【図６】本考案のケース体が立ち姿勢で、中層チューブを外層チューブに引き込めたときの立体外観図である。
【図７】本考案のケース体が立ち姿勢で中層チューブを外層チューブに引き込めた態様の側面図である。
【図８】本考案のケース体が立ち姿勢で中層チューブを外層チューブに引き込めた態様図である。
【考案を実施するための形態】
【実施例】
【０００７】
図１ないし図５を参照する。本考案はケース体１と、キャスター２と、キャリーハンドル装置３と、を備える。
【０００８】
そのうち、ケース体１は、縁部が互いに接続された裏板１１と、表板１２と、底板１３と、天板１４と、２つの側板１５によって組み合わされる。さらに、底板１３と、裏板１１との接続場所がケース体１の内側に引き込んで逃げ面を形成され、本考案において、逃げ面１６はアーチ形で設けられている。２つの側板１５は裏板１１と、底板１３両側の間に、固定溝１５１を凹設し、固定溝１５が逃げ面１６の付近場所に設けられ、逃げ面１６と天板１４が裏板１１付近場所の側面に逃げ面１６と、天板を貫く、移動制限孔１７を設けられている。
【０００９】
キャスター２は、キャスター座２１と、キャスター座２１の外縁部に枢設するタイヤ２２を有し、キャスター座２１をケース体１の固定溝１５１に固定することによって、タイヤ２２一側の外縁部をケース体１の逃げ面１６より露出させて、平らでない地面または階段でケース体１を引きずって走行することができる。
【００１０】
キャリーハンドル装置３は、外層チューブ３１と、中層チューブ３２と、内層チューブ３３と、ハンドル３４と、支え棒３５とを有し、外層チューブ３１をケース体１の移動制限孔１７に固定することによって、外層チューブ３１を裏板１１に固定させる。中層チューブ３２を外層チューブ３１の内部に穿設し、内層チューブ３３を中層チューブ３２の内部に穿設し、ハンドル３４を内層チューブ３３に接続して、利用者がハンドル３４を引いて、中層チューブ３２と、内層チューブ３３をケース体１の上面に伸ばすか、または外層チューブ３１の内部に引き込む。支え棒３５を中層チューブ３２がケース体１を離れる天板１４の他側に接続する。さらに、外層チューブ３１側面の両端にそれぞれ第１固定孔３１１と、第２固定孔３１２を設けられ、中層チューブ３２の一側に固定ブロック３８を内設し、固定ブロック３８に固定ピン３６と、弾性素子３７を設け、固定ピン３６を中層チューブ３２の側面より露出して、弾性素子３７によって、固定ピン３６を弾性に中層チューブ３２の内部に引き込むことができる。中層チューブ３２を外層チューブ３１より伸ばしたとき、固定ピン３６を第１固定孔３１１に固定され、中層チューブ３２を外層チューブ３１に引き込まれたとき、固定ピン３６を第２固定孔３１２に固定して、支え棒３５が外層チューブ３１の底面より露出される。
【００１１】
引き続き、図１、図５ないし図８に示すように、ケース体１が立ち姿勢のとき、利用者がハンドル３４を操作して、内層チューブ３３と、中層チューブ３２を外層チューブ３１の内部に引き込ませる。このとき、固定ピン３６が第１固定孔３１１を引き離して、第２固定孔３１２に固定される。固定ピン３６が第２固定孔３１２に固定されているとき、支え棒３５が外層チューブ３１の底面より露出される。すなわち、支え棒３５がケース体１の逃げ面１６より露出して、支え棒３５の末端部を地面４に係止させる。外層チューブ３１が裏板１１に固定しているため、キャスター２のキャスター座２１をケース体１の固定溝１５１に固定される。よって、支え棒３５と、表板１２との垂直距離がタイヤ２２の回転軸心から表板１２までの垂直距離より大きいため、ケース体１が転倒しにくい。さらに、支え棒３５の末端部と、地面４との摩擦力を利用して、ケース体１の滑り移動を抑止できる。
【符号の説明】
【００１２】
１      ケース体
１１    裏板
１２    表板
１３    底板
１４    天板
１５    側板
１５１  固定溝
１６    逃げ面
１７    移動制限孔
２      キャスター
２１    キャスター座
２２    タイヤ
３      キャリーハンドル装置
３１    外層チューブ
３１１  第１固定孔
３１２  第２固定孔
３２    中層チューブ
３３    内層チューブ
３４    ハンドル
３５    支え棒
３６    固定ピン
３７    弾性素子
３８    固定ブロック
４      地面
【図１】
0003217297.tif 000003
【図２】
0003217297.tif 000004
【図３】
0003217297.tif 000005
【図４】
0003217297.tif 000006
【図５】
0003217297.tif 000007
【図６】
0003217297.tif 000008
【図７】
0003217297.tif 000009
【図８】
0003217297.tif 000010